(57)【要約】【課題】エレベーターのドアレール清掃装置において、ドアハンガーに取り付けたブラシだけで取り除くことが困難な火山灰などの異物を効率よく除去し、かつ、ブラシの性能低下を抑制することである。【解決手段】ドアレール清掃装置１０は、ドアの上端部に固定されたドアハンガー３０に取り付けられて、ドアの上方に配置されたドアレール１２の上面を、ドアの開閉に連動して移動して、塵芥または塵芥集積物である異物６０を除去する上側ブラシ１８と、ドアレール１２の上面において、上方に毛束４２が突出するように取り付けられた下側ブラシであって、ドアハンガーの移動時に上側ブラシ１８と毛束が噛み合うように接触する下側ブラシ４０とを含む。【選択図】図２
2018027842.tif 000002
【特許請求の範囲】
【請求項１】
ドアの上端部に固定されたドアハンガーに取り付けられて、前記ドアの上方に配置されたドアレールの上面を、前記ドアの開閉に連動して移動して、塵芥または塵芥集積物である異物を除去する上側ブラシと、
前記ドアレールの上面において、上方に毛束が突出するように取り付けられた下側ブラシであって、前記ドアハンガーの移動時に前記上側ブラシと前記毛束が噛み合うように接触する下側ブラシとを備える、エレベーターのドアレール清掃装置。
【請求項２】
請求項１に記載のエレベーターのドアレール清掃装置において、
前記ドアレールは、上面の一部に形成された凹部を有し、
前記下側ブラシは、前記凹部の底面に固定され、上端部の前記毛束が前記凹部の上端より突出する、エレベーターのドアレール清掃装置。
【請求項３】
請求項１または請求項２に記載のエレベーターのドアレール清掃装置において、
前記ドアハンガーにおいて、前記ドアの移動方向と平行な方向である前記ドアの幅方向について前記上側ブラシより内側に取り付けられて、前記ドアレールの上面を清掃し、かつ前記ドアレールの上面に給油する清掃給油部材を備える、エレベーターのドアレール清掃装置。
【請求項４】
請求項１から請求項３のいずれか１に記載のエレベーターのドアレール清掃装置において、
前記異物は火山灰である、エレベーターのドアレール清掃装置。
【発明の詳細な説明】
【技術分野】
【０００１】
本発明は、ドアの上端部に固定されたドアハンガーに取り付けられて、ドアの開閉に連動してドアレールの上面を移動して、塵芥または塵芥集積物である異物を除去するブラシを備える、エレベーターのドアレール清掃装置に関する。
【背景技術】
【０００２】
エレベーターのドアレールの上面に塵芥または塵芥集積物である異物があると、ドアレールの上面に対し、ドアハンガーに取り付けたローラの移動が円滑に行われず、ドアの開閉が困難になるおそれがある。特許文献１には、エレベーターのドアハンガーにブラシを取り付けて、毛束を有するブラシによってドアレールの上面を清掃するドアレール清掃装置が記載されている。
【先行技術文献】
【特許文献】
【０００３】
【特許文献１】特開２０１４−１９５１８号公報
【発明の概要】
【発明が解決しようとする課題】
【０００４】
特許文献１に記載された構成では、ドアハンガーに取り付けたブラシが、ドアレールの上面を清掃する。しかしながらドアレールの上面に異物が付着した場合に、ドアハンガーに取り付けたブラシだけによってこの異物を取り除くことが困難な場合がある。例えば異物が火山灰である場合には、放置した場合に火山灰が周囲から水分、油を短期間で取り込むので、火山灰の粘り気が強くなって固まってしまう。これにより、上記のブラシだけで異物を取り除くことが困難になる。この場合、固まった火山灰は、エレベーターの点検、修理を行う作業者が手作業で道具を用いて削って除去する必要がある。また、ブラシに火山灰が付着した場合にブラシが固まってブラシの性能が低下する可能性がある。この場合、ブラシに付着した火山灰を作業者が除去する必要がある。このような問題は、特に周辺に火山がある地域で生じやすい。また、火山灰は乾燥状態で浮遊して、建物の中に入り込みやすく、ドアレール上に積もりやすい。
【０００５】
本発明に係るエレベーターのドアレール清掃装置の目的は、ドアハンガーに取り付けたブラシだけで取り除くことが困難な火山灰などの異物を効率よく除去し、かつ、ブラシの性能低下を抑制することである。
【課題を解決するための手段】
【０００６】
本発明に係るエレベーターのドアレール清掃装置は、ドアの上端部に固定されたドアハンガーに取り付けられて、前記ドアの上方に配置されたドアレールの上面を、前記ドアの開閉に連動して移動して、塵芥または塵芥集積物である異物を除去する上側ブラシと、前記ドアレールの上面において、上方に毛束が突出するように取り付けられた下側ブラシであって、前記ドアハンガーの移動時に前記上側ブラシと前記毛束が噛み合うように接触する下側ブラシとを備える。
【発明の効果】
【０００７】
本発明に係るエレベーターのドアレール清掃装置によれば、ドアハンガーに上側ブラシが取り付けられ、ドアハンガーの移動時に、ドアレールの上面に取り付けられた下側ブラシの毛束と上側ブラシとが噛み合うように接触する。これにより、ドアハンガーに取り付けたブラシだけで取り除くことが困難な火山灰などの異物を効率よく除去でき、かつ、上側ブラシの性能低下を抑制できる。
【図面の簡単な説明】
【０００８】
【図１】実施形態のドアレール清掃装置が取り付けられたエレベーターの乗場ドアの上側部分を示す図である。
【図２】図１において、２つのドアの一方のドアが左側から閉鎖する方向である右側に移動する場合におけるＡ部拡大相当図である。
【図３】図２のＢ−Ｂ断面図である。
【図４】図２からドアレール清掃装置の清掃装置本体を取り出して示す図である。
【図５】一部を省略して図４の右側から見た図である。
【図６】図２のＣ−Ｃ断面拡大図である。
【図７】各ドアが閉鎖方向に移動しきった場合におけるＡ部拡大断面図である。
【図８】実施形態の別例のドアレール清掃装置において、各ドアが開放方向に移動する場合における図１のＤ部拡大相当図である。
【発明を実施するための形態】
【０００９】
以下、図面を用いて本発明の実施形態を説明する。以下で説明する形状、材質及び個数は、説明のための例示であって、ドアレール清掃装置またはエレベーターの仕様に応じて適宜変更することができる。以下において複数の実施形態や、変形例などが含まれる場合、それらを適宜組み合わせて実施することができる。以下ではすべての図面において同等の要素には同一の符号を付して説明する。また、本文中の説明においては、必要に応じてそれ以前に述べた符号を用いるものとする。
【００１０】
図１は、実施形態のドアレール清掃装置１０が取り付けられたエレベーターの乗場ドアの上側部分を示す図である。乗場ドア５０は、中央から両側に開くように２つのドア５１，５２が移動する両開き型である。各ドア５１，５２は、上側のドアレール１２と下側の敷居（図示せず）とによって移動が案内される。各ドア５１，５２の上方にはドアレール１２が配置され、ドア５１，５２の上端部にはそれぞれドアハンガー３０，３１が固定される。また、各ドア５１，５２は、ドアハンガー３０，３１によってドアレール１２に対し吊り下げ支持される。具体的には、ドアレール１２が、昇降路の壁などの固定部５３に固定される。ドアレール１２は、乗場出入り口の上側において、その間口方向に沿って水平に配置される。後述の図３に示すように、ドアレール１２の長手方向に対し直交する平面についての断面形状は、上端部及び下端部が凸状の曲面である長円形である。
【００１１】
ドアハンガー３０，３１には、ドア５１，５２の移動方向と平行な方向である、ドア５１，５２の幅方向（図１の左右方向）の両端寄り部分に２つのローラ３２が回転可能に支持されるように取り付けられる。各ローラ３２は、ドアレール１２上を長手方向（図１の左右方向）に沿って転動する。これにより各ドア５１，５２は、幅方向に移動して乗場出入り口を開閉する。
【００１２】
固定部５３に固定された電動モータ（図示せず）の動力が駆動ベルト（図示せず）に伝達され、その駆動ベルトの動力が連結具（図示せず）を介してドアハンガー３０，３１に伝達される。２つのドア５１，５２のうち、一方（図１の左側）のドア５１に連結された連結具がドア５１の幅方向において一方側に移動するとき、他方（図１の右側）のドア５２に連結された連結具はドア５２の幅方向において他方側に移動する。これにより、各ドア５１，５２は幅方向において逆方向に移動するように駆動される。
【００１３】
ドアレール清掃装置１０は、各ドア５１，５２に対応して２つずつ、合計４つが配置された清掃装置本体１３ａ，１３ｂ，１３ｃ，１３ｄと、ドアレール１２の上面の２つの位置に取り付けられた下側ブラシ４０とを備える。
【００１４】
具体的には、各ドア５１，５２の幅方向両端部において、対応する側のローラ３２よりドア５１，５２の幅方向外側に清掃装置本体１３ａ，１３ｂ，１３ｃ，１３ｄがそれぞれ取り付けられる。以下で詳しく説明するように、各清掃装置本体１３ａ，１３ｂ，１３ｃ，１３ｄは、ドア５１，５２の開閉に連動してドアレール１２の上面を移動して清掃する。
【００１５】
以下では、２つのドア５１，５２のうち、一方のドア５１において、ドアハンガー３０の長手方向一端部（図１の右端部）に取り付けられた清掃装置本体１３ａについて、基本的に説明する。
【００１６】
図２は、図１において、２つのドア５１，５２の一方のドア５１が左側から閉鎖する方向である右側に移動する場合におけるＡ部拡大相当図である。図３は、図２のＢ−Ｂ断面図である。図４は、図２からドアレール清掃装置１０の清掃装置本体１３ａを取り出して示す図である。図５は、一部を省略して図４の右側から見た図である。図６は、図２のＣ−Ｃ断面拡大図である。図７は各ドア５１，５２が閉鎖方向に移動しきった場合におけるＡ部拡大断面図である。
【００１７】
清掃装置本体１３ａは、ハンガー固定部材１４と、清掃給油部材１６と、上側ブラシ１８とを含んで構成される。ハンガー固定部材１４は、平板状であり、長手方向一端側（図２、図４の左側）の長手方向に離れた２つの位置に下側に開口する切欠１４ａが形成される。そして、図２に示すように、ドアハンガー３０の長手方向一端部（図２の右端部）において、厚み方向外側（図２の紙面の表側）に、切欠１４ａを通じて挿入されたボルト等の締結部材１５によって、ハンガー固定部材１４が固定される。
【００１８】
清掃給油部材１６は、ハンガー固定部材１４の長手方向他端側（図２、図４の右側）でドアハンガー３０の先端から長手方向に突出する部分に固定される。清掃給油部材１６は、油が含浸されたフェルト等の不織布、または発泡ポリウレタン等の発泡樹脂により直方体状に形成される。清掃給油部材１６は、ハンガー固定部材１４に対し、ボルト等の締結部材１７によって固定される。清掃給油部材１６がハンガー固定部材１４に固定された状態で、清掃給油部材１６において、ハンガー固定部材１４から厚み方向の内側（図２の紙面の裏側）に離れた部分の下端がドアレール１２上に位置する。清掃給油部材１６は、ドアレール１２の上面に接触した状態で、ドア５１，５２の開閉に連動してドアレール１２の上面を移動することでドアレール１２の上面を清掃し、かつドアレール１２の上面に給油する。
【００１９】
上側ブラシ１８は、ブラシ本体１９と、ブラシ本体１９の側面に固定された直方体状の取付部材２０とを含む。ブラシ本体１９は、樹脂または木材等から形成される植毛台１９ａの下側に突出するように植毛された毛束１９ｂを有する。毛束１９ｂは、清掃給油部材１６より高い剛性を有することが好ましい。例えば毛束１９ｂは、金属線によって形成される。取付部材２０は、ブロック状であり、ハンガー固定部材１４のうち、清掃給油部材１６より長手方向他端側（図２、図４の右側）に、ボルト等の締結部材２１によって固定される。この状態で、ブラシ本体１９は、ハンガー固定部材１４から厚み方向の内側（図４の紙面の裏側）に離れて配置され、図３、図５に示すようにブラシ本体１９の毛束１９ｂの下端がドアレール１２上に位置する。これにより、上側ブラシ１８は、ドアハンガー３０において、ドア５１（図１）の幅方向（図２の左右方向）について清掃給油部材１６より外側（図２の右側）に取り付けられる。そして、上側ブラシ１８は、ドアレール１２の上面に接触した状態で、ドア５１の開閉に連動してドアレール１２の上面を移動することで、塵芥または塵芥集積物である異物６０を除去する。
【００２０】
上記では、図２〜図５を用いて、２つのドア５１，５２のうち、一方のドア５１に固定されたドアハンガー３０の長手方向一方側に取り付けられた清掃装置本体１３ａを基本的に説明した。一方、４つの清掃装置本体１３ａ、１３ｂ、１３ｃ、１３ｄ（図１）のうち、残りの清掃装置本体１３ｂ、１３ｃ、１３ｄも、図２〜図５に示した清掃装置本体１３ａと同様に構成できる。このとき、各ドア５１，５２に固定されたドアハンガー３０，３１の長手方向他方側（図１の左側）に取り付けた清掃装置本体１３ｂ、１３ｃは、図２〜図５の清掃装置本体１３ａとドア５１，５２の幅方向について逆向きに取り付けられる。
【００２１】
さらに、２つの下側ブラシ４０は、ドアレール１２の上面の長手方向（図１の左右方向）の中央部において長手方向に離れた２つの位置に取り付けられる。具体的には、ドアレール１２の上面の長手方向中央部において長手方向に離れた２つの位置には、凹部である溝部１２ａ（図２）が形成される。図１、図７に示すように、２つの溝部１２ａは、ドア５１，５２が閉鎖した状態で、またはドアが閉鎖する直前の状態で、２つのドアハンガー３０，３１の間に配置される２つの清掃装置本体１３ａ、１３ｃの上側ブラシ１８と上下方向に面する位置に配置される。図２、図６、図７に示すように、各溝部１２ａは、断面矩形状であり、ドアレール１２の幅方向（図２、図７の紙面の表裏方向、図６の左右方向）に両端が開口する。
【００２２】
そして、各溝部１２ａには下側ブラシ４０が固定される。図６に示すように、下側ブラシ４０は、直方体状の植毛台４１の上側に毛束４２が突出する。植毛台４１は、樹脂、木材等により形成され、溝部１２ａの底面に接着剤等により固定される。毛束４２は、清掃給油部材１６より高い剛性を有することが好ましい。例えば毛束４２は、金属線によって形成される。また、下側ブラシ４０は、上端部の毛束４２が溝部１２ａの上端より上側に突出する。これにより、各下側ブラシ４０は、ドアレール１２の上面において、上方に毛束４２が突出するように取り付けられる。また、図７に示すように、ドアハンガー３０がドア５１の閉鎖方向（図７の矢印α方向）へ移動するときに、下側ブラシ４０の毛束４２は、対応する清掃装置本体１３ａ、１３ｃの上側ブラシ１８の毛束１９ｂと噛み合うように接触する。ドアハンガー３０の移動時に、下側ブラシ４０は、上側ブラシ１８及び清掃給油部材１６のうち、上側ブラシ１８のみと接触可能な位置に配置される。図２、図７では、２つの溝部１２ａのうち、一方の溝部１２ａのみを示している。一方、２つの溝部１２ａの他方の溝部は、他方のドア５２（図１）に対応して、ドアハンガー３１に取り付けた清掃装置本体１３ｃ（図１）の上側ブラシと面する位置に形成される。そして、他方の溝部１２ａに下側ブラシ４０が固定される。
【００２３】
上記のドアレール清掃装置１０によれば、ドアハンガー３０，３１に取り付けた上側ブラシ１８だけで取り除くことが困難な火山灰などの異物６０を効率よく除去でき、かつ、上側ブラシ１８の性能低下を抑制できる。例えば、図２でドアが開放した状態から閉鎖方向に移動するときに、ドアハンガー３０は図２の矢印α方向へ移動する。このときに、ドアハンガー３０に取り付けた上側ブラシ１８の毛束１９ｂが火山灰の集積物である異物６０を移動方向（矢印α方向）に押し出す。そして、ドアが閉鎖した状態、またはドアの閉鎖直前の状態で、図７に示すように上側ブラシ１８の毛束１９ｂと下側ブラシ４０の毛束４２とが噛み合うように接触することで、押し出した異物を砕いて分離させることができる。これにより、異物を除去できるので、ドアレール１２上の異物によるドアの開閉不良を抑制できる。さらに、上側ブラシ１８の毛束１９ｂに異物及び汚れが付着した場合でも、その毛束１９ｂに下側ブラシ４０の毛束４２が摺動接触して上側ブラシから異物及び汚れを除去する。これにより、上側ブラシ１８の性能低下を抑制することができる。
【００２４】
また、ドアの幅方向について上側ブラシ１８より内側に清掃給油部材１６が取り付けられる。これにより、清掃給油部材１６によってドアレール１２の上面に効率よく給油できる。また、ドアハンガー３０、３１に取り付けられた上側ブラシ１８が、清掃給油部材１６より先にドアレール１２上の異物６０（図２）が位置する部分に接触して異物を除去する。このとき、清掃給油部材１６より剛性の高い上側ブラシ１８の毛束１９ｂが清掃給油部材１６より先に異物６０に接触して異物６０をはぎ落すことができる。そして、上側ブラシ１８ではぎ落した後で、清掃給油部材１６が残った異物６０をはぎ落すことができる。このため、清掃給油部材１６だけで取り除くことが困難な火山灰などの異物６０を効率よく取り除くことができる。また、清掃給油部材１６より上側ブラシ１８が先に異物に接触することで、清掃給油部材１６の給油機能が低下することを抑制できる。
【００２５】
図８は、実施形態の別例のドアレール清掃装置１０において、各ドアが開放方向に移動する場合における図１のＤ部拡大相当図である。図１から図７の構成では、ドアレール１２の長手方向中央部に２つの下側ブラシ４０が取り付けられる場合を説明したが、図８に示す構成では、ドアレール１２の長手方向両端寄り部分に下側ブラシ４３が取り付けられる。各ドアが開放方向に移動しきった状態、または移動しきる直前の状態で、ドアレール１２の上面において、２つのドアハンガー３０，３１の外側に配置される清掃装置本体１３ｂ、１３ｄ（図１）の上側ブラシが上下方向に面する位置に、溝部１２ｂが形成される。そして各溝部１２ｂに下側ブラシ４３が固定される。下側ブラシ４３の構成は、図１、図２、図６に示した下側ブラシ４０の構成と同様である。図８の下側ブラシ４３の毛束４２は、各ドアが開放方向に移動することに伴ってドアハンガー３０が図８の矢印β方向に移動するときに、上側ブラシ１８の毛束１９ｂと噛み合うように接触する。ドアハンガー３０の移動時に、下側ブラシ４３は、上側ブラシ１８及び清掃給油部材１６のうち、上側ブラシ１８のみと接触可能な位置に配置される。
【００２６】
上記の構成の場合も、図１から図７の構成と同様に、ドアハンガー３０に取り付けた上側ブラシ１８だけで取り除くことが困難な火山灰などの異物を効率よく除去でき、かつ、上側ブラシ１８の性能低下を抑制できる。その他の構成及び作用は、図１から図７の構成と同様である。なお、図８の構成において、図１から図７の構成のようにドアレール１２の中央部に配置される下側ブラシ４０を省略することもできる。また、上記の各例の構成において、清掃給油部材１６を省略することもできる。また、下側ブラシは、ドアレールの上面において、植毛台を介さず、直接に毛束が上方に突出するように植毛したものでもよい。また、上側ブラシ１８の毛束の先端である下端には、ドアレール１２の凸状の上面とまんべんなく接触するように凹部が形成されてもよい。この構成によれば、異物の除去性能を向上できる。
【００２７】
また、上記の各例において、ドアレールにおける、清掃給油部材が移動する範囲に下側ブラシが固定され、かつ、ドアハンガーの移動時に下側ブラシの毛束が清掃給油部材の下端部と接触する構成としてもよい。この場合には、下側ブラシの毛束においてドアレールの上面からの突出量が大きくならないように規制する。これにより、清掃給油部材の下端部に汚れ及び異物が付着した場合でも、その汚れ及び異物を除去できる。
【００２８】
上記の各例では、乗場のドア開閉機構における清掃装置について説明したが、乗りかごのドア開閉機構についても同様の構成を採用することができる。また、上記では、両開き型のドア開閉機構における清掃装置について説明したが、片開き型のドア開閉機構についても同様の構成を採用することができる。また、１枚のみ、または３枚以上のドアを有するドア開閉機構についても同様の構成を採用できる。またドアレールの長手方向に対し直交する平面についての断面形状は長円形に限定するものではなく、台形、矩形等としてもよい。
【符号の説明】
【００２９】
１０  ドアレール清掃装置、１２  ドアレール、１２ａ，１２ｂ  溝部、１３ａ、１３ｂ、１３ｃ、１３ｄ  清掃装置本体、１４  ハンガー固定部材、１４ａ  切欠、１５  締結部材、１６  清掃給油部材、１７  締結部材、１８  上側ブラシ、１９  ブラシ本体、１９ａ  植毛台、１９ｂ  毛束、２０  取付部材、２１  締結部材、３０，３１  ドアハンガー、３２  ローラ、３３  ドアレール、４０  下側ブラシ、４１  植毛台、４２  毛束、４３  下側ブラシ、５０  乗場ドア、５１，５２  ドア、５３  固定部、６０  異物。
【図１】
2018027842.tif 000003
【図２】
2018027842.tif 000004
【図３】
2018027842.tif 000005
【図４】
2018027842.tif 000006
【図５】
2018027842.tif 000007
【図６】
2018027842.tif 000008
【図７】
2018027842.tif 000009
【図８】
2018027842.tif 000010